(57)【要約】  【課題】インターネット上の仮想店舗での買い物でありながら、実際の店舗での買い物に近い雰囲気をだすことのできる電子ショッピングシステムを提供すること。  【解決手段】クライアントコンピュータを操作して、仮想店舗内の仮想現在位置を指定する現在位置指定手段と、クライアントコンピュータの画面に仮想店舗内の仮想現在位置から見た仮想店内画像を実写画像に基づいて表示する店内画像表示手段とを備えることによって実際の店舗内の雰囲気を出し、さらに、商品を選択するときも、店舗内の商品棚の実写画像に基づいた画像を表示して選択指定するように構成した。【選択図】      図１
2007122248.tif 000002
【特許請求の範囲】
【請求項１】
クライアントコンピュータと、仮想店舗内の仮想店内画像および商品情報が蓄積されたデータベースを備えたサーバとがネットワークで接続され、
前記サーバのデータベースから読み込んだ商品画像を、クライアントコンピュータの画面に表示し、表示された商品画像を選択指定してすると、関連付けられた商品情報が購入予定ファイルに蓄積され、購入予定ファイルに蓄積された商品情報を再確認した後に、購入決定処理を行うように構成された電子ショッピングシステムにおいて、
クライアントコンピュータを操作して、仮想店舗内の仮想現在位置を指定する現在位置指定手段と、
クライアントコンピュータの画面に、仮想店舗内の仮想現在位置から見た仮想店内画像を表示する店内画像表示手段と、
仮想店内画像の一部に表示された商品選択領域を指定する選択領域指定手段と、
前記商品選択領域に複数の商品画像を表示する商品画像表示手段と、
表示された商品画像の何れかを選択指定して購入予定ファイルに追加蓄積する商品指定手段とを備えたことを特徴とする電子ショッピングシステム。
【請求項２】
前記店内画像表示手段は、実際の店舗の内部を多数の位置から撮像した多数の画像を前記データベースから抽出して表示することを特徴とする請求項１に記載の電子ショッピングシステム。
【請求項３】
前記店内画像表示手段は、仮想店舗内の仮想現在位置に応じた仮想店内画像を前記データベースから抽出して表示することを特徴とする請求項２に記載の電子ショッピングシステム。
【請求項４】
前記商品画像表示手段は、実際の商品を撮像した商品画像を前記データベースから抽出して表示することを特徴とする請求項１〜３の何れか１項に記載の電子ショッピングシステム。
【請求項５】
前記商品画像表示手段は、前記商品指定手段にて個別の商品を選択指定可能に表示することを特徴とする請求項１〜４の何れか１項に記載の電子ショッピングシステム。
【請求項６】
前記データベースに蓄積された商品情報は、少なくとも商品名、価格、利用方法の情報を含んでいることを特徴とする請求項１〜５の何れか１項に記載の電子ショッピングシステム。
【請求項７】
前記データベースに蓄積された商品画像は、商品画像に含まれる個別の商品ごとの商品情報と、商品画像上での位置情報とが関連付けられていることを特徴とする請求項１〜６の何れか１項に記載の電子ショッピングシステム。
【発明の詳細な説明】
【技術分野】
【０００１】
本発明は、クライアントコンピュータと、仮想店舗内の仮想店内画像および商品情報が蓄積されたデータベースを備えたサーバとがネットワークで接続され、前記クライアントコンピュータから入力した情報に基づいて購入処理を行うように構成された電子ショッピングシステムに関するものである。
【背景技術】
【０００２】
従来より、前述したような電子ショッピングシステムにおいては、購入対象の商品の画像は、実際の商品を撮像した実写画像、もしくは実写画像を編集した商品画像が表示されるように構成されている。これらの商品画像は、一覧表示されることが多く、実際の店内の状態とは異なっている。
また、クライアントコンピュータから入力される指示情報に基づいた画像が、サーバからその都度転送されて、クライアントコンピュータの画面に表示されるように構成されている。
また、クライアントコンピュータのウェブブラウザを用いてサーバとのデータのやり取りをする場合でも、複数のウインドウが表示されるように構成されている。
【発明の開示】
【発明が解決しようとする課題】
【０００３】
ところが、上述したような従来のように、商品画像が一覧表示されるものでは、実際の店内の状態とは異なっていて、親近感が湧かないという問題がある。
また、クライアントコンピュータから要求されてから必要な画像データをサーバから転送するやり方では、通信回線の状態によっては迅速な表示更新ができずストレスになるという問題がある。
また、クライアントコンピュータのウェブブラウザを用いて複数のウインドウが表示されるような方法では、画面が煩雑になるという問題がある。
【０００４】
そこで、本発明は、以上の問題に鑑みてなされたものであって、実際の店舗での買い物に近い雰囲気をだすことのできる電子ショッピングシステムを提供することを目的としている。
【課題を解決するための手段】
【０００５】
本発明にかかる電子ショッピングシステムの請求項１においては、
クライアントコンピュータと、仮想店舗内の仮想店内画像および商品情報が蓄積されたデータベースを備えたサーバとがネットワークで接続され、
前記サーバのデータベースから読み込んだ商品画像を、クライアントコンピュータの画面に表示し、表示された商品画像を選択指定してすると、関連付けられた商品情報が購入予定ファイルに蓄積され、購入予定ファイルに蓄積された商品情報を再確認した後に、購入決定処理を行うように構成された電子ショッピングシステムにおいて、
クライアントコンピュータを操作して、仮想店舗内の仮想現在位置を指定する現在位置指定手段と、
クライアントコンピュータの画面に、仮想店舗内の仮想現在位置から見た仮想店内画像を表示する店内画像表示手段と、
仮想店内画像の一部に表示された商品選択領域を指定する選択領域指定手段と、
前記商品選択領域に複数の商品画像を表示する商品画像表示手段と、
表示された商品画像の何れかを選択指定して購入予定ファイルに追加蓄積する商品指定手段とを備えたことを特徴としている。
請求項２では、
前記店内画像表示手段は、実際の店舗の内部を多数の位置から撮像した多数の画像を前記データベースから抽出して表示する。
請求項３では、
前記店内画像表示手段は、仮想店舗内の仮想現在位置に応じた仮想店内画像を前記データベースから抽出して表示する。
請求項４では、
前記商品画像表示手段は、実際の商品を撮像した商品画像を前記データベースから抽出して表示する。
請求項５では、
前記商品画像表示手段は、前記商品指定手段にて個別の商品を選択指定可能に表示する。
請求項６では、
前記データベースに蓄積された商品情報は、少なくとも商品名、価格、利用方法の情報を含んでいる。
請求項７では、
前記データベースに蓄積された商品画像は、商品画像に含まれる個別の商品ごとの商品情報と、商品画像上での位置情報とが関連付けられている。
【発明の効果】
【０００６】
本発明では、クライアントコンピュータを操作して、仮想店舗内の仮想現在位置を指定する現在位置指定手段と、クライアントコンピュータの画面に、仮想店舗内の仮想現在位置から見た仮想店内画像を表示する店内画像表示手段と、仮想店内画像の一部に表示された商品選択領域を指定する選択領域指定手段と、前記商品選択領域に複数の商品画像を表示する商品画像表示手段と、表示された商品画像の何れかを選択指定して購入予定ファイルに追加蓄積する商品指定手段とを備えているので、
実際の店内での買い物に近い雰囲気になるので親近感が湧いて、買い物をしやすいという効果が得られる。
また、通信回線の状態によらず、迅速な表示更新をストレスなくできる。
また、クライアントコンピュータの画面がシンプルになって見やすいという効果が得られる。
【発明を実施するための最良の形態】
【０００７】
以下に、本発明にかかる電子ショッピングシステムを、その実施の形態を示した図面に基づいて詳細に説明する。
図１は、本発明の電子ショッピングシステムを実施するためのネットワークＮと、複数のクライアントＣと、サーバＳの関係を示している。
前記ネットワークＮはインターネットなどのネットワークであり、前記クライアントＣは前記ネットワークＮを介して前記サーバＳに接続可能なパソコンや携帯端末などのコンピュータであり、前記サーバＳは本発明の実施に用いるデータとソフトウェアを備えたコンピュータである。
前記クライアントＣはネットワーク接続手段と前記サーバＳと相互通信との間で相互通信を行うために入出力手段とブラウザソフトを備えている。
【０００８】
実際に存在する店舗に対応する仮想店舗の店内のレイアウト図を図２に示し、前記仮想店舗内における位置Ｐ１から前方Ｆを向いた状態での仮想店内画像を図３に示した。これらの図２、３は、クライアントコンピュータの画面、具体的にはウェブブラウザのウインドウ内に表示される画像の例である。
図３において、１は仮想カートであり、その周囲に移動方向を指示するための矢印Ｆ，Ｌ，Ｒ，Ｂが表示されている。
クライアントコンピュータのマウスカーソルをクリックする等の指示手段で、上記何れかの矢印を選択・指示すると選択・指示された矢印の方向の画像を移動する。
【０００９】
例えば、矢印Ｆを選択・指示した場合には、実際の店舗内において前方へ進んだ場合に相当する画像が表示され、矢印Ｌを選択・指示した場合には、実際の店舗内において左方へ向きを変更した場合に相当する画像が表示され、矢印Ｒを選択・指示した場合には、実際の店舗内において右方へ向きを変更した場合に相当する画像が表示され、矢印Ｂを選択・指示した場合には、実際の店舗内において後方を振り返った場合に相当する画像が表示される。なお、仮想店舗内に入った当初は、矢印Ｂは表示されないようにするとよい。
矢印Ｆを選択・指示すると、実際の店舗内において前方へ進む状況に相当するように、順次前方へ進んだ場合の画像が、順次表示されるので、あたかも実際の店舗内で前方へ進むような画面表示となる。
【００１０】
以上のようにして、仮想カート１を所望の方向に向けて移動させならが、仮想店舗内を移動することができる。仮想店舗内における仮想カート１の位置は、随時レイアウト図中に表示される。レイアウト図中の任意の場所をクリックすることで、その場所に直接移動することもできる。
このようにして、仮想カート１の位置から前方に見える仮想店舗内の画像が随時表示されるので、所望の商品のある場所に到着したあと、所望の方向の矢印をクリックすると、  実際に存在する店舗に対応する仮想店舗の店内のレイアウト図を図２に示し、前記仮想店舗内における位置Ｐ１から前方Ｆを向いた状態での仮想店内画像を図３に示した。これる。図４の（ａ）において、英符号ａ，ｂ，ｃ，ｄ，・・・はそれぞれ生鮮食料品や日用品等の商品の写真画像であり、各商品の領域を区分けしている破線は、画面には表示されない。
表示される仮想店舗内の画像は、実際の店舗の内部を撮像して得られた実写画像を用いる。
【００１１】
商品画像のうちの例えば右下に表示されている商品ｈを購入したい場合には、商品ｈの画像の位置にカーソルＨを移動させてクリックすると、前記商品ｈの詳細情報が表示される。そこで、個数などを指定して商品ｈの画像を仮想カート１のカゴヘドラッグ＆ドロップすると、指定した商品情報が購入予定ファイルに蓄積されて購入予定商品に追加される。
なお、前記商品画像や詳細情報は、サーバのデータベースから抽出する。
また、図４の（ａ）の商品群画像が表示されている状態で、左右何れかのボタンＬ，Ｒをクリックすることで、各方向の商品群画像に切り替え表示される。表示される商品群画像は、実際の店舗の内部に配置された商品棚などを撮像して得られた実写画像を用いる。
以上のように、実際の店舗内において商品棚の商品を見ながら買い物をする場合と同じように買い物できるので、親近感が湧き、実感がでるという効果がある。
商品画像をクリックして選択したあと、調理法のボタンをクリックすると、その商品に関連した調理法のレシピが表示される。
【００１２】
また、チラシ折り込み日であれば、「チラシ特売」ボタンが表示されるので、そのボタンをクリックすると、図４の（ｂ）に示したように、チラシ画像Ｄが拡大表示されるので、チラシの内容を閲覧することができる。チラシ画像に表示された商品画像の位置にカーソルＨを移動させてクリックすると、前記商品の詳細情報が表示される。そこで、個数などを指定して商品画像を仮想カートのカゴヘドラッグ＆ドロップすると、購入予定商品に追加される。
【００１３】
仮想カート１に表示されている「購入予定商品確認」ボタンをクリックすると、カートに追加・蓄積された購入予定商品が、購入予定ファイルに基づいて図５のようにリスト表示Ｅされる。このとき、各商品の単価、数量、金額、および全体の合計金額が表示される。このとき、購入予定商品の変更・削除、カートの中身を空にすることなどを行うことができる。合計金額は随時計算しなおされて表示される。
【００１４】
次に、図５に示されている「レジへ」ボタンＧをクリックすると、買い物を終了して精算処理へ進むことができる。
本発明では、仮想カートに蓄積されている購入予定商品の商品情報を購入予定ファイルとして、クライアントコンピュータの記憶手段に記憶しておくことによって、カートの内容の表示や変更後の再計算処理を迅速に行うことができる。なお、前記購入予定商品の商品情報（購入予定ファイル）をサーバにのみ記憶しておき、クライアントコンピュータからの要求がある度にクライアントコンピュータへ転送するやり方では、通信回線の状況などによっては、迅速な処理ができない。
【００１５】
図６に示したレジ画像では、「ご精算」ボタンＪをクリックすると支払い方法の選択などの精算処理を行うことや、カートの中身を空にする（購入予定ファイルをクリアする）ことや、再度店内に戻って買い物を続行することもできる。
精算処理では、カートに蓄積された購入予定商品のリストＥが購入予定ファイルに基づいて表示されるので、確認したあと、ＩＤやパスワードなどの認証情報を入力し、必要であれば、配達先住所などを入力する。
【００１６】
次に、前記データベースに登録するデータ作成方法を説明する。このデータ作成処理は、前記サーバとは別の編集システムを用いて行うことが好ましい。
（１）仮想店舗内の仮想店内画像の作成方法
実際の店舗内の各位置における前後左右の画像を、店内位置および視線方向と関連付けしてデジタルカメラなどで撮像して、データベースに保存する。このとき、仮想店内画像は、できるだけ近距離の位置で撮像したほうが、表示するときにスムーズに表示させることができる。
（２）各商品のコーナにおける商品画像の作成方法
実際の店舗内の各商品のコーナを所定の領域ごとにデジタルカメラなどで撮像し、店内位置と関連付けして編集システムに保存する。
前記撮像した画像を編集システムの画面に表示させて、上下の段数を入力する。図７の（ａ）の例では、「３」段と入力したので、２本の横線Ｋ１，Ｋ２によって３段に区画される。画像中の段の位置と異なる場合には、横線を上下に移動させて、画像中の段の位置を一致させる。
【００１７】
次に、各段をそれぞれ区分けする数を入力する。最上段を３区分、中段を３区分、最下段を２区分に区分けするように指定すると、図７の（ｂ）に示した例のように、最上段に２本、中段に２本、最下段に１本それぞれの縦線Ｋ３〜Ｋ７が表示される。各縦線には左右に移動させるためのボタンＭが表示されているので、必要に応じて、ボタンＭをマウスでポイントしながら左右に動かして、商品の種類ごとに縦線で区分けされるような位置にセットする。
例えば、図７の（ｃ）に示した例のように、最下段の商品ｈの領域が左側まで広がっている場合には、縦線Ｋ７を左側に移動させて、画像中の商品ｇと商品ｈとの境界部分にセットする。
【００１８】
このようにして、商品群画像を商品べつに区分したあと、各商品の商品情報を登録する。例えば図７の（ｄ）に示した例のように、区画１-１の位置情報Ｑ１と、区画１-１に表示されている商品ａの識別情報Ｔ１とを関連付けして登録し、区画１-２の位置情報Ｑ２と、区画１-２に表示されている商品ｂの識別情報Ｔ２とを関連付けして登録し、以後同様に、各区画ごとに各商品の識別情報とを関連付けして登録して商品画像のデータを作成し、データベースに登録する。
【００１９】
チラシ折り込み日に表示されるチラシ画像の場合も、同様に、区分けして商品画像と、位置情報と、商品情報とを関連付けしてデータベースに登録する。
【００２０】
以上のようにして、データベースを登録する。なお、データベースに登録された各データの更新は、必要に応じて変更されたデータ部分について行うことができる。通常は、生鮮食品の商品画像は毎日更新し、チラシ画像はチラシ折り込み日に応じて更新し、店内画像は店内のレイアウト変更の都度更新するとよい。
【００２１】
図８は、本発明の動作の仕組みの概要を説明する説明図である。
図８の（１）はマウス等アクションを示したものであり、クライアントコンピュータに備えられたマウスなどの入力手段でカートの移動方向を指定する。（現在位置指定手段、選択領域指定手段、商品指定手段に対応）
（２）は店内座平面図の例を示したものであり、クライアントコンピュータの画面上に店内レイアウト図としてウェブブラウザのウインドウ内に表示される。このレイアウト図中にカートの位置が例えばＰ１として表示される。
（３）は実写画像に基づいた仮想店内画像を切り換えて表示するエンジンとしてのプログラム処理（店内画像表示手段、商品画像表示手段に対応）を示したものであり、（４）に示したようなページ内動作を行う。
（４）に示したように、データベース８１から仮想店舗内の位置に関連付けられた仮想店内画像８２が、クライアントコンピュータの表示用メモリ内のロード枠＿Ａ８３にサーバから取得されてロードされ、クライアントコンピュータのウェブブラウザのウインドウ内に表示される。
【００２２】
前記仮想店内画像は、カートの前方に見える画像に相当する画像である。この仮想店内画像が表示されている間に、さらに前方へ進行した位置に関連付けられたより前方の画像が、前記データベースから前記表示用メモリ内のロード枠＿Ｂ８４にロードされる。また、左右の位置に配置された商品群の画像（商品群画像）が、前記データベースから前記表示用メモリ内の左右の画面用のロード枠８５，８６にロードされる。
従って、前方へ進行する場合でも、左右へ向きを変える場合でも、次の画像は既に表示用メモリにロードされており、サーバから転送させる必要はないので、極めてスムーズにストレスなく表示されるのである。このようにして、仮想カートを移動させるたびに、移動した位置からの画像に高速に切り換えて表示するので、あたかも、実際の店舗内を移動しているような雰囲気を得ることができる。このような表示を可能とするために、仮想店舗内の画像を作成する場合には、実際の店舗内において、所定ステップずつ移動した位置でそれぞれ、前方と後方と左右方向の画像を撮像し、これらの画像を、撮像した位置情報と関連付けしてデータベースに保存しておくのである。そして、表示する場合には、仮想店舗内の位置に応じて、前記データベースからその位置に関連付けられた前後左右の実写画像を読み込んで表示するのである。
【図面の簡単な説明】
【００２３】
【図１】本発明にかかる電子ショッピングシステムの実施の形態の構成を示した構成図である。
【図２】本発明における仮想店舗の店内のレイアウト図である。
【図３】本発明における仮想店内画像の例を示した図である。
【図４】本発明における商品群画像（ａ）、チラシ画像（ｂ）の例を示す図である。
【図５】本発明において、購入予定商品を確認する場合の画面例である。
【図６】本発明において、レジで清算する場合の画面例である。
【図７】本発明において、商品画像を作成編集する手順を説明する図である。
【図８】本発明の動作を説明する図である。
【符号の説明】
【００２４】
Ｎ  ネットワーク
Ｃ  クライアント
Ｓ  サーバ
【図１】
2007122248.tif 000003
【図２】
2007122248.tif 000004
【図３】
2007122248.tif 000005
【図４】
2007122248.tif 000006
【図５】
2007122248.tif 000007
【図６】
2007122248.tif 000008
【図７】
2007122248.tif 000009
【図８】
2007122248.tif 000010